【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
遊技の進行によって抽選の契機が発生した場合に、遊技者に特典を付与するか抽選を行う抽選手段と、
前記抽選手段による抽選ごとに変動表示ゲームを実行する変動表示手段と、
前記抽選手段による前記抽選の結果が特定結果である場合に遊技者に特典を付与する利益付与状態に制御する利益付与制御手段と、
前記抽選の結果に応じて遊技状態を変更し得る遊技状態変更手段と、
画像を用いて表示演出を表示可能な表示装置と、
前記抽選手段による前記抽選に関して前記表示装置にて表示される表示演出の少なくとも演出時間を特定する変動表示パターンを、前記変動表示パターンの候補を定める変動表示パターン候補情報を参照して決定する変動表示パターン決定手段と、
前記変動表示パターン決定手段によって決定された変動表示パターンに従って、前記表示装置にて表示される表示演出を実現する演出制御手段と、
を備え、
前記変動表示パターン候補情報は、第１変動表示パターン候補情報と、前記第１変動表示パターン候補情報とは異なる変動表示パターンが参照され得る第２変動表示パターン候補情報と、を少なくとも含み、参照している変動表示パターン候補情報から異なる他の変動表示パターン候補情報への変更は前記変動表示ゲームの実行回数が所定回数になることを所定条件とし、前記所定条件の成立に基づき次の前記変動表示ゲームから実行可能であり、
前記変動表示パターン候補情報が参照される期間として、前記第１変動表示パターン候補情報が参照される期間である第１候補情報期間と、前記第２変動表示パターン候補情報が参照される期間として前記第１候補情報期間よりも短い期間である第２候補情報期間と、を少なくとも設定可能に構成され、
前記変動表示パターン決定手段は、前記第２候補情報期間において前記所定条件が成立し、かつ前記抽選の結果が前記特定結果とならない場合は、前記第２変動表示パターン候補情報から前記第１変動表示パターン候補情報には含まれていない特定変動表示パターンを選択し、
前記特定変動表示パターンの演出態様は、次の前記変動表示ゲームから前記変動表示パターン決定手段が参照する前記変動表示パターン候補情報に応じて異なる演出態様にて実行され、
前記第１候補情報期間において前記抽選の結果が前記特定結果とならない場合に前記第１変動表示パターン候補情報を参照して決定され得る前記変動表示パターンの種類は、前記第２候補情報期間において前記抽選の結果が前記特定結果とならない場合に前記第２変動表示パターン候補情報を参照して決定され得る前記変動表示パターンの種類と比べ、決定され得る前記変動表示パターンの種類が多くなるように設定されていることを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正２】
【補正対象書類名】明細書
【補正対象項目名】０００２
【補正方法】変更
【補正の内容】
【０００２】
液晶表示装置などの表示画面上で、抽選の契機に応じて、表示演出を行う遊技機が知られている（特許文献１参照）。このような遊技機は、１回の抽選に応じて、１回の表示演出を行う。ところで、このような遊技機は、遊技者が楽しんで遊技を行うことができるように、表示演出として、創造性の高い表示演出が望まれ、創造性を向上させることが考えられている。
【手続補正３】
【補正対象書類名】明細書
【補正対象項目名】０００４
【補正方法】変更
【補正の内容】
【０００４】
しかしながら、上述のような遊技機では、表示演出が全体としてまとまりがなく表示演出が散漫に感じられる可能性があった。その結果、遊技者による遊技意欲の減退を招くおそれがあった。
【手続補正４】
【補正対象書類名】明細書
【補正対象項目名】０００７
【補正方法】変更
【補正の内容】
【０００７】
［適用例１］
遊技の進行によって抽選の契機が発生した場合に、遊技者に特典を付与するか抽選を行う抽選手段と、
前記抽選手段による抽選ごとに変動表示ゲームを実行する変動表示手段と、
前記抽選手段による前記抽選の結果が特定結果である場合に遊技者に特典を付与する利益付与状態に制御する利益付与制御手段と、
前記抽選の結果に応じて遊技状態を変更し得る遊技状態変更手段と、
画像を用いて表示演出を表示可能な表示装置と、
前記抽選手段による前記抽選に関して前記表示装置にて表示される表示演出の少なくとも演出時間を特定する変動表示パターンを、前記変動表示パターンの候補を定める変動表示パターン候補情報を参照して決定する変動表示パターン決定手段と、
前記変動表示パターン決定手段によって決定された変動表示パターンに従って、前記表示装置にて表示される表示演出を実現する演出制御手段と、
を備え、
前記変動表示パターン候補情報は、第１変動表示パターン候補情報と、前記第１変動表示パターン候補情報とは異なる第２変動表示パターン候補情報と、を少なくとも含み、参照している変動表示パターン候補情報から異なる他の変動表示パターン候補情報への変更は前記変動表示ゲームの実行回数が所定回数になることを所定条件とし、前記所定条件の成立に基づき次の前記変動表示ゲームから実行可能であり、
それぞれの変動表示パターン候補情報が参照される期間として、前記第１変動表示パターン候補情報が参照される期間である第１候補情報期間と、前記第２変動表示パターン候補情報が参照される期間として前記第１候補情報期間よりも短い期間である第２候補情報期間と、をそれぞれ設定可能に構成され、
前記変動表示パターン決定手段は、前記第２候補情報期間において前記所定条件が成立し、かつ前記抽選の結果が前記特定結果とならない場合は、前記第２変動表示パターン候補情報から前記第１変動表示パターン候補情報には含まれていない特定変動表示パターンを選択し、
前記特定変動表示パターンの演出態様は、次の前記変動表示ゲームから前記変動表示パターン決定手段が参照する前記変動表示パターン候補情報に応じて異なる演出態様にて実行され、
前記第１候補情報期間において前記抽選の結果が前記特定結果とならない場合に前記第１変動表示パターン候補情報を参照して決定され得る前記変動表示パターンの種類は、前記第２候補情報期間において前記抽選の結果が前記特定結果とならない場合に前記第２変動表示パターン候補情報を参照して決定され得る前記変動表示パターンの種類と比べ、決定され得る前記変動表示パターンの種類が多くなるように設定されていることを特徴とする遊技機。
【手続補正５】
【補正対象書類名】明細書
【補正対象項目名】０００８
【補正方法】変更
【補正の内容】
【０００８】
上記構成の遊技機によれば、表示演出が散漫に感じられる可能性を低減し、遊技者による遊技意欲の減退を抑制できる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】